(57)【要約】【課題】  操作者の操作入力に係る構成と操作者への表示に係る構成とを安価に且つ容易に変更することができるようにする。【解決手段】  表示部を接続する表示ユニット３０と、操作情報を入力する操作入力ユニット４０を有する操作表示部ユニット２と、全体を制御する本体制御部１０を有する制御部ユニットを備え、本体制御部１０は、コネクタ５１との接続による一方の通信インタフェースを介して操作表示部ユニット２から表示ユニット３０に接続された表示部３１の構成情報と操作入力ユニット４０の構成情報を取得し、その各構成情報に基づいて操作表示画面の操作表示画面データを生成し、コネクタ５０との接続によるもう一方の通信インタフェースを介して操作表示部ユニット２へ上記操作表示画面データを送信して表示部３１に上記操作表示画面データに基づく操作表示画面を表示させる制御を行う。【選択図】        図１
2010074374.tif 000002
【特許請求の範囲】
【請求項１】
画像処理を行う画像処理装置であって、
複数種類の表示部を接続する手段を有する表示ユニットと、操作情報を入力する操作入力ユニットとを有する操作表示部ユニットと、画像処理装置の全体を制御する本体制御部を有する制御部ユニットとを備え、
前記操作表示部ユニットと前記制御部ユニットとを通信インタフェースで接続し、
前記本体制御部は、前記通信インタフェースを介して前記操作表示部ユニットから前記表示ユニットに接続された表示部の構成情報と前記操作入力ユニットの構成情報を取得し、前記各構成情報に基づいて前記表示部に表示する操作表示画面の操作表示画面データを生成し、前記通信インタフェースを介して前記操作表示部ユニットへ前記操作表示画面データを送信して前記表示部に前記操作表示画面データに基づく操作表示画面を表示させる制御を行う手段を有することを特徴とする画像処理装置。
【請求項２】
前記通信インタフェースは、前記表示ユニットの構成情報と前記操作入力ユニットの構成情報の取得と、前記操作表示画面データの送信とをそれぞれ異なる種類のデータ伝送手段で行う手段であることを特徴とする請求項１記載の画像処理装置。
【請求項３】
前記通信インタフェースは、前記表示ユニットの構成情報と前記操作入力ユニットの構成情報の取得と、前記操作表示画面データの送信とを１種類のデータ伝送手段で行う手段であることを特徴とする請求項１記載の画像処理装置。
【請求項４】
前記操作入力ユニットにＬＥＤ表示部を接続し、
前記本体制御部に、前記通信インタフェースを介して前記ＬＥＤ表示部の点灯と消灯を制御する手段を設けたことを特徴とする請求項１乃至３のいずれか一項に記載の画像処理装置。
【請求項５】
前記操作表示部ユニットに、前記表示ユニットに複数種類の表示部を接続可能にする複数のコネクタのいずれに前記表示部が接続されているかの検出結果に基づいて前記表示部の種類を判別する手段を設けたことを特徴とする請求項１乃至４のいずれか一項に記載の画像処理装置。
【請求項６】
前記操作表示部ユニットに、前記本体制御部からの要求に基づいて前記通信インタフェースを介して前記表示部の種類を前記本体制御部へ通知する手段を設けたことを特徴とする請求項５記載の画像処理装置。
【請求項７】
前記本体制御部は、前記操作表示画面データの生成の際、前記操作表示部ユニットから通知された前記表示部の種類も加味するようにしたことを特徴とする請求項６記載の画像処理装置。
【請求項８】
前記表示部が接続されているかの検出を前記各コネクタの中の複数のＧＮＤ端子のいずれか一つを使用することを特徴とする請求項５乃至７のいずれか一項に記載の画像処理装置。
【請求項９】
前記操作表示部ユニットに音声出力部を接続し、
前記本体制御部に、前記通信インタフェースを介して前記音声出力部に音声データを出力して前記音声出力部からの音声出力を制御する手段を設けたことを特徴とする請求項１乃至８のいずれか一項に記載の画像処理装置。
【請求項１０】
前記本体制御部は、前記音声データ出力中、前記操作表示画面データに音声出力中であることを明示する表示データを含めるようにしたことを特徴とする請求項９記載の画像処理装置。
【請求項１１】
前記表示ユニットに、前記表示部に表示された操作表示画面に対応する操作入力が可能な入力手段を設けたことを特徴とする請求項１乃至１０のいずれか一項に記載の画像処理装置。
【請求項１２】
前記操作入力ユニットに、前記操作表示画面データに基づく操作表示画面を表示する表示部を設けたことを特徴とする請求項１乃至１１のいずれか一項に記載の画像処理装置。
【請求項１３】
前記操作表示部ユニットは前記表示ユニットを２つ以上接続可能であり、
前記本体制御部は、前記操作表示部ユニットに前記表示ユニットが２つ以上接続された場合、前記各表示ユニットの表示部の構成情報に合わせてそれぞれ異なる操作表示画面の操作表示画面データを生成し、前記通信インタフェースを介して前記操作表示部ユニットへ前記各操作表示画面データを送信して前記各表示ユニットの表示部にそれぞれ対応する前記操作表示画面データに基づく操作表示画面を表示させる制御を行う手段を設けたことを特徴とする請求項１乃至１２のいずれか一項に記載の画像処理装置。
【請求項１４】
前記操作表示部ユニットは前記操作入力ユニットを２つ以上接続可能であり、
前記本体制御部は、前記操作表示部ユニットに前記操作入力ユニットが２つ以上接続された場合、前記各操作入力ユニットの構成情報に基づいて前記各操作入力ユニットからの入力優先順位を設定する手段を設けたことを特徴とする請求項１乃至１３のいずれか一項に記載の画像処理装置。
【請求項１５】
前記本体制御部は、前記各操作入力ユニットからの入力が同時にあった場合、前記入力優先順位に基づいて前記各操作入力ユニットからの入力を優先順位の順に操作入力処理する手段を設けたことを特徴とする請求項１４記載の画像処理装置。
【発明の詳細な説明】
【技術分野】
【０００１】
この発明は、ファクシミリ装置，プリンタ，複写機，複合機を含む画像処理装置に関する。
【背景技術】
【０００２】
近年、プリンタ機器や複合機（ＭＦＰ）などの画像処理装置においては、多機能化が進み、合わせて操作性の向上として表示パネルのカラー化と大型化、非健常者を考慮したデザイン化などが図られてきている。
また、画像ファイルへのさまざまな加工が可能となってきたこともあり、加工後の画像ファイルを表示パネルによって確認できるようにもなってきている。
それに対して、プリンタ機器や複合機などでは決まった操作部が取り付けられ、ユーザが購入後に自由に変更することは不可能である。
そのため、ユーザの使用状況によっては表示パネルの大型化や小型化の要望や、入力機器の追加や変更の要望が存在しても実現することが非常に困難であり、実現する場合でも高価になってしまう。
そこで従来、複数の操作手段を接続可能にした画像処理装置（例えば、特許文献１参照）があった。
【特許文献１】特開２００１−７５６３８号公報
【発明の開示】
【発明が解決しようとする課題】
【０００３】
しかしながら、従来の画像処理装置では、プリンタ機器や複合機の操作部をユーザの要求に合わせて変更可能とする手段としては構造が複雑であり、かつ高価となってしまうという問題があった。
この発明は上記の点に鑑みてなされたものであり、操作者の操作入力に係る構成と操作者への表示に係る構成とを安価に且つ容易に変更することができるようにすることを目的とする。
【課題を解決するための手段】
【０００４】
この発明は上記の目的を達成するため、画像処理を行う画像処理装置であって、複数種類の表示部を接続する手段を有する表示ユニットと、操作情報を入力する操作入力ユニットとを有する操作表示部ユニットと、画像処理装置の全体を制御する本体制御部を有する制御部ユニットとを備え、上記操作表示部ユニットと上記制御部ユニットとを通信インタフェースで接続し、上記本体制御部は、上記通信インタフェースを介して上記操作表示部ユニットから上記表示ユニットに接続された表示部の構成情報と上記操作入力ユニットの構成情報を取得し、上記各構成情報に基づいて上記表示部に表示する操作表示画面の操作表示画面データを生成し、上記通信インタフェースを介して上記操作表示部ユニットへ上記操作表示画面データを送信して上記表示部に上記操作表示画面データに基づく操作表示画面を表示させる制御を行う手段を有する画像処理装置を提供する。
【０００５】
また、上記通信インタフェースを、上記表示ユニットの構成情報と上記操作入力ユニットの構成情報の取得と、上記操作表示画面データの送信とをそれぞれ異なる種類のデータ伝送手段で行う手段にするとよい。
あるいは、上記通信インタフェースを、上記表示ユニットの構成情報と上記操作入力ユニットの構成情報の取得と、上記操作表示画面データの送信とを１種類のデータ伝送手段で行う手段にするとよい。
また、上記操作入力ユニットにＬＥＤ表示部を接続し、上記本体制御部に、上記通信インタフェースを介して上記ＬＥＤ表示部の点灯と消灯を制御する手段を設けるとよい。
さらに、上記操作表示部ユニットに、上記表示ユニットに複数種類の表示部を接続可能にする複数のコネクタのいずれに上記表示部が接続されているかの検出結果に基づいて上記表示部の種類を判別する手段を設けるとよい。
【０００６】
また、上記操作表示部ユニットに、上記本体制御部からの要求に基づいて上記通信インタフェースを介して上記表示部の種類を上記本体制御部へ通知する手段を設けるとよい。
さらに、上記本体制御部を、上記操作表示画面データの生成の際、上記操作表示部ユニットから通知された上記表示部の種類も加味するようにするとよい。
また、上記表示部が接続されているかの検出を上記各コネクタの中の複数のＧＮＤ端子のいずれか一つを使用するとよい。
さらに、上記操作表示部ユニットに音声出力部を接続し、上記本体制御部に、上記通信インタフェースを介して上記音声出力部に音声データを出力して上記音声出力部からの音声出力を制御する手段を設けるとよい。
さらにまた、上記本体制御部は、上記音声データ出力中、上記操作表示画面データに音声出力中であることを明示する表示データを含めるようにするとよい。
また、上記表示ユニットに、上記表示部に表示された操作表示画面に対応する操作入力が可能な入力手段を設けるとよい。
【０００７】
さらに、上記操作入力ユニットに、上記操作表示画面データに基づく操作表示画面を表示する表示部を設けるとよい。
また、上記操作表示部ユニットは上記表示ユニットを２つ以上接続可能であり、上記本体制御部は、上記操作表示部ユニットに上記表示ユニットが２つ以上接続された場合、上記各表示ユニットの表示部の構成情報に合わせてそれぞれ異なる操作表示画面の操作表示画面データを生成し、上記通信インタフェースを介して上記操作表示部ユニットへ上記各操作表示画面データを送信して上記各表示ユニットの表示部にそれぞれ対応する上記操作表示画面データに基づく操作表示画面を表示させる制御を行う手段を設けるとよい。
さらに、上記操作表示部ユニットは上記操作入力ユニットを２つ以上接続可能であり、上記本体制御部に、上記操作表示部ユニットに上記操作入力ユニットが２つ以上接続された場合、上記各操作入力ユニットの構成情報に基づいて上記各操作入力ユニットからの入力優先順位を設定する手段を設けるとよい。
また、上記本体制御部に、上記各操作入力ユニットからの入力が同時にあった場合、上記入力優先順位に基づいて上記各操作入力ユニットからの入力を優先順位の順に操作入力処理する手段を設けるとよい。
【発明の効果】
【０００８】
この発明による画像処理装置は、操作者の操作入力に係る構成と操作者への表示に係る構成とを安価に且つ容易に変更することができる。
【発明を実施するための最良の形態】
【０００９】
以下、この発明を実施するための最良の形態を図面に基づいて具体的に説明する。
図２は、この発明の各実施例の画像処理装置の外観図である。
この画像処理装置は、スキャナ機能，コピー機能，プリント機能，ファクシミリ通信機能，インターネットを利用した通信機能を備えた複合機であり、画像処理装置本体１は、この画像処理装置に対する各種の操作情報の入力と各種の操作画面や作業時の情報を表示する操作表示部ユニット２と、原稿の画像を読み取る画像読取装置のスキャナ部３と、原稿の画像の読み取り時、載置された原稿を１枚ずつスキャナ部３へ給送する自動給送装置（オートドキュメントフィーダ：ＡＤＦ）４を備えている。また、符号による図示を省略しているが、画像処理装置本体１には、スキャナ部３によって読み取った画像の画像データやネットワークを介して受信した画像データを用紙に印刷するプリント部（印刷部）と、ネットワークを介して画像データのファクシミリ通信又はインターネットを利用したメール通信を行う通信部も備えている。
【００１０】
〔実施例１〕
図１は、図２に示す画像処理装置の実施例１における本体の内部構成の概要と操作部の主要な内部構成とを示すブロック図である。
この画像処理装置本体１は、ＣＰＵである本体制御部（コントローラユニット）１０と、ＲＯＭ１１と、ＲＡＭ１２と、表示制御部１３と、差動ドライバ１４と、ＵＳＢホスト（ＨＯＳＴ）１５とからなる制御部ユニットと、画像を読み取って画像データを入力するスキャナ部３と、画像データに基づく画像を用紙に印刷するプリント部４と、通信回線を介した画像データのファクシミリ送受信を含む各種の通信を行う通信部５を備えている。
本体制御部１０は、操作表示部ユニット２の操作入力ユニット（操作入力Ｕ）４０からの入力情報の判断、及び操作表示部ユニット２の表示ユニット（表示Ｕ）３０の表示画面の作成を行う操作画面生成機能と、画像生成処理を含む画像処理を行う出力画像生成機能とを含む各種の機能を実現する制御処理を実行する。
【００１１】
ＲＯＭ１１は、本体制御部１０が上述した制御処理を実行するためのプログラムを格納するメモリである。
ＲＡＭ１２は、本体制御部１０が上述した制御処理を実行する際に作業領域として使用するメモリである。
表示制御部１３は、差動ドライバ１４を介して操作表示部ユニット２に対する表示データのやり取りと制御を行う。
差動ドライバ１４は、操作表示部ユニット２との表示データのやり取りをする表示データ用インタフェースである。
ＵＳＢホスト１５は、操作表示部ユニット２との間でＵＳＢバス規格に基づいて操作の入力情報データを含む各種のデータをやり取りするための通信用インタフェースである。
【００１２】
操作表示部ユニット２は、表示ユニット３０と、操作入力ユニット４０と、画像処理装置本体１との通信用インタフェースユニット（通信用Ｉ／ＦＵ）２０を備えている。
通信用インタフェースユニット２０は、表示ユニット３０との通信用インタフェースとして差動レシーバ２１を備えており、その差動レシーバ２１はコネクタ５０を介して画像処理装置本体１と接続している。また、操作入力ユニット４０との通信用インタフェースとしてＵＳＢＨＵＢ２２を備えており、そのＵＳＢＨＵＢ２２はコネクタ５１を介して画像処理装置本体１と接続している。
表示ユニット３０は、複数種類の表示部を接続可能なコネクタ５２〜５４を有し、ＬＣＤなどの表示デバイスである表示部３１を接続しており、通信用Ｉ／ＦＵ２０及び操作入力ユニット４０のコネクタ５５とも接続されている。
操作入力ユニット４０は、入出力制御部４１、ＬＥＤを点灯するＬＥＤ表示部４２と、テンキーなどのキー入力を行うキー入力部４３、タッチパネル部４４、ＵＳＢ接続用のＵＳＢＩ／Ｆ４５を備えており、コネクタ５１を介して画像処理装置本体１と接続されている。
【００１３】
本体制御部１０よりＵＳＢＨＯＳＴ１５に対して接続されているデバイスの情報を要求することにより、ＵＳＢＨＯＳＴ１５はＵＳＢケーブルを通じて操作表示部ユニット２のＵＳＢＨＵＢ２２へデバイスの情報要求を送る。
ＵＳＢＨＵＢ２２は複数の接続コネクタを持っており、後述する付加機能を拡張することが出来る。
操作入力ユニット４０の入出力制御部４１は、本体制御部１０からのデバイスの情報要求に対して、表示ユニット３０と操作入力ユニット４０の各構成情報をそれぞれから取得し、通信用Ｉ／ＦＵ２０のＵＳＢＨＵＢ２２を介して画像処理装置本体１のＵＳＢＨＯＳＴ１５へデバイスの情報のデータを送り返す。
【００１４】
そして、ＵＳＢＨＯＳＴ１５が入手した表示ユニット３０と操作入力ユニット４０の各構成情報を本体制御部１０が入手することにより、本体制御部１０は、操作表示部ユニット２を構成しているデバイスを認識する。
上記表示ユニット３０の構成情報としては、表示部３１の表示パネルのサイズ、タッチパネルの有無を含む表示パネルに付随する情報があり、上記操作入力ユニット４０の構成情報としては、キー入力部４３のキースイッチの個数、その各キースイッチの機能、ＬＥＤ表示部４２のＬＥＤの個数、タッチパネル部４４の有無を含む入出力機能の情報がある。
【００１５】
次に、図３によって操作入力ユニット４０の入出力制御部４１が、表示ユニット３０に接続された表示部３１の表示パネルのサイズを取得する処理を説明する。
上述のように、表示ユニット３０は、表示部３１を接続する複数のコネクタ５２〜５４を有し、その各コネクタ５２〜５４介して通信用インタフェースユニット２０と接続されている。
表示ユニット３０が複数のコネクタ５２〜５４を持つのは、表示部３１の種類によってＩ／Ｆ信号のピンアサインが異なるためである。
図３に示すように、表示部３１のＩ／Ｆには、安定した信号レベルの確保や電源の電流の帰還のため電源ピン数と近い本数の複数のＧＮＤ端子を備えている。そのうちの１本を使用して、コネクタ５２〜５４のどのコネクタに表示部３１が接続されているかを判定するようにしている。
【００１６】
例えば、コネクタ５４に表示部３１が接続されると検出信号は“ハイ（Ｈ）”となり、非接続状態では“ロー（Ｌ）”となる。これにより、表示部３１に特別な処理を行わなくても入出力制御部４１は表示ユニット３０に接続された表示部３１の種類を判別可能となり、その種類に該当する表示パネルのサイズを含む表示ユニット３０の構成情報を取得する。
そして、入出力制御部４１が自ら保持する操作入力ユニット４０の構成情報（ＬＥＤ表示部４２のＬＥＤの個数，キー入力部４３のキースイッチの個数とその各キースイッチの機能などの情報）と、上記判別した表示部３１の構成情報とを本体制御部１０へ送る。
【００１７】
本体制御部１０は、得られた表示ユニット３０の構成情報から、操作画面生成機能を用いて、表示部３１の表示パネルのサイズに合わせた操作表示画面データを作成し、その操作表示画面データをＲＡＭ１２に格納する。
そして、本体制御部１０は、ＲＡＭ１２に格納された操作表示画面データを表示制御部１３から差動ドライバ１４を介して操作表示部ユニット２へ送る。
操作表示部ユニット２は、差動レシーバ２１によって操作表示画面データを受信すると、表示ユニット３０へ送り、表示ユニット３０内の表示部３１の表示パネルに操作表示画面データに基づく操作表示画面を表示する処理を行う。
また、操作入力ユニット４０に搭載されているタッチパネル部４４からの入力情報、及びキー入力部４３からの入力情報を入出力制御部４１によってＵＳＢＩ／Ｆ４５内のバッファ（図示を省略）に入力情報データとして格納する。
【００１８】
本体制御部１０は、ＵＳＢＨＯＳＴ１５を通じて、定期的に操作入力ユニット４０のＵＳＢＩ／Ｆ４５のバッファに格納された入力情報データを取得し、その入力情報データのタッチパネル部４４における入力情報に合わせて操作画面生成機能によって表示部３１の表示パネルの操作表示画面の操作表示画面データを作成し、その操作表示画面データをＲＡＭ１２へ新たに格納する。
ＲＡＭ１２に操作表示画面データ格納後の処理は上述と同様である。 
キー入力部４３においてキー操作が行われた場合も同様の制御を行い、本体制御部１０は、その入力情報データのキー入力部４３における入力情報に合わせて操作画面生成機能によって表示部３１の表示パネルの操作表示画面の操作表示画面データを作成し、ＲＡＭ１２の操作表示画面データへ新たな内容に更新し、ＵＳＢＩ／Ｆ４５を介してＬＥＤ表示部４２の点灯消灯制御を行う。
【００１９】
この実施例１では、表示ユニット３０の表示データＩ／Ｆは、差動信号を用いており、具体的には、ＬＶＤＳ、ＤＶＩ、または比較的新しい規格であるディスプレイポートがある。
また、操作入力ユニット４０のＩ／ＦをＵＳＢとし、表示データは上記の差動信号Ｉ／Ｆとしているのは、複数種類の表示部３１に対応する際に、比較的高密度で大サイズのディスプレイを接続すると転送データ量が増えるため、ＵＳＢではデータ帯域が不足するためである。
また、操作入力ユニット４０のＩ／ＦのみをＵＳＢとすることにより、ＵＳＢ１．０のフルスピード（Ｆｕｌｌ−Ｓｐｅｅｄ）であっても十分な帯域を有するので、低コストでＩ／Ｆを構築することができる。
【００２０】
〔実施例２〕
図４は、図２に示す画像処理装置の実施例２における本体の内部構成の概要と操作部の主要な内部構成とを示すブロック図であり、図１と共通する部分には同一符号を付してその説明を省略する。
この実施例２では、ＵＳＢＨＵＢ２２に付加機能として、音声出力ユニット６０を接続している。
音声出力ユニット６０は、公知のＵＳＢＩ／Ｆ６１，音声デコーダ６２，アンプ６３，スピーカ６４からなる。
本体制御部１０は、操作表示部ユニット２のユニット構成に音声出力ユニット６０が接続されたことを検出すると、キー入力部４３，タッチパネル部４４に対応して、表示ユニット３０への操作表示画面データを更新すると共に、ＵＳＢＨＯＳＴ１５，ＵＳＢＨＵＢ２２を介して、音声出力ユニット６０に音声ガイダンス用の音声ストリームデータを出力する。
【００２１】
音声ストリームデータはリアルタイム性を有するストリーム信号となるため、ＵＳＢはアイソクロナス転送が用いられる。
本体制御部１０は、音声ストリームデータ出力の間、入力情報データを取得できないため、ストリームの時間が長い場合は、表示ユニット３０への操作表示画面データに、音声ガイダンス中であることを明示する表示データを付加して表示することにより、操作者のキー入力を抑制するように促すことができる。
また、音声ガイダンスは、周波数帯域も狭いため、ＵＳＢ  Ｆｕｌｌ−Ｓｐｅｅｄレベルのデータ帯域でも十分であり、Ｉ／Ｆを変更する必要が無い。
【００２２】
この実施例１の画像処理装置は、表示ユニットと操作入力ユニットのＩ／Ｆを分けることにより、表示ユニットをユーザの好みに併せて変更しても、Ｉ／Ｆを変更することなく対応可能となる。
また、操作入力ユニットのＩ／ＦをＵＳＢとすることにより、容易に変更可能であり、構成情報に併せた制御変更が可能となる。
さらに、表示部の表示パネルのサイズをＩ／ＦのＧＮＤ端子を利用して検出することにより、表示部に変更を与えることなく、接続された表示部の種類を判別し、その判別結果により容易に制御変更を行える。
【００２３】
また、表示データＩ／ＦにＬＶＤＳ，ＤＶＩ，ディスプレイポートを採用することにより、高速かつ安定した長距離伝送が可能となる。
さらに、表示ユニットの構成情報を、ＵＳＢＩ／Ｆで取得可能とすることにより、本体制御部とのＩ／Ｆ信号を増やすことなく情報取得が可能となる。
また、ＵＳＢＨＵＢに付加機能として音声デバイスが接続可能であり、ＵＳＢを介して構成情報を取得できるため、専用のＩ／Ｆ信号が不要である。
さらに、比較的長い音声データ出力中に音声ガイダンス出力中であることを知らせ、キー入力を抑制させるので、操作性を向上できる。
【００２４】
〔実施例３〕
図５は、図２に示す画像処理装置の実施例３における本体の内部構成の概要と操作部の主要な内部構成とを示すブロック図である。
この画像形成装置本体１は、ＣＰＵである本体制御部（コントローラユニット）１０と、ＲＯＭ１１と、ＲＡＭ１２と、ＵＳＢホスト（ＨＯＳＴ）１５とからなる制御部ユニットと、画像を読み取って画像データを入力するスキャナ部３と、画像データに基づく画像を用紙に印刷するプリント部４と、通信回線を介した画像データのファクシミリ送受信を含む各種の通信を行う通信部５を備えている。
本体制御部１０は、操作表示部ユニット２の操作入力ユニット（操作入力Ｕ）９０からの入力情報の判断、及び操作表示部ユニット２の表示ユニット（表示Ｕ）８０の表示画面の作成を行う操作画面生成機能と、画像生成処理等の画像処理を行う出力画像生成機能とを含む各種の機能を実現する制御処理を実行する。
【００２５】
ＲＯＭ１１は、本体制御部１０が上述した制御処理を実行するためのプログラムを格納するメモリである。
ＲＡＭ１２は、本体制御部１０が上述した制御処理を実行する際に作業領域として使用するメモリである。
ＵＳＢホスト１５は、操作表示部ユニット２との間でＵＳＢバス規格に基づいて操作の入力情報データ，操作表示画面データを含む各種のデータをやり取りするための通信用インタフェースである。
操作表示部ユニット２は、表示ユニット８０と、操作入力ユニット９０と、画像処理装置本体１との通信用インタフェースユニット（通信用Ｉ／ＦＵ）７０を備えている。
表示ユニット８０は、複数種類の表示部を接続可能なコネクタ５２〜５４を有し、ＬＣＤなどの表示デバイスである表示部３１を接続しており、通信用Ｉ／ＦＵ２０及び操作入力ユニット４０のコネクタ５５とも接続されている。
【００２６】
操作入力ユニット４０は、入出力制御部４１、ＬＥＤを点灯するＬＥＤ表示部４２と、テンキーなどのキー入力を行うキー入力部４３、タッチパネル部４４、ＵＳＢ接続用Ｉ／Ｆ４５を備えており、コネクタ５１を介して画像処理装置本体１と接続されている。
通信用インタフェースユニット７０は、表示ユニット８０と操作入力ユニット９０との通信用インタフェースとしてＵＳＢＨＵＢ７１を備えており、そのＵＳＢＨＵＢ７１はコネクタ５６を介して画像処理装置本体１と接続している。
表示ユニット８０は、表示ユニット８０の制御を司るＣＰＵの表示制御部８１と、操作表示画面データの記憶用であるＲＡＭ８３と、ＵＳＢインタフェース（ＵＳＢＩ／Ｆ）８４と、表示パネル部８５と、タッチパネル部８６を備えており、表示制御部８１内には表示ユニットの構成情報を格納したＲＯＭ８２を有し、コネクタ５７を介してＵＳＢＩ／Ｆ８４が通信用Ｉ／ＦＵ７０と接続されている。
【００２７】
操作入力ユニット９０は、この操作入力ユニット９０の制御を司るＣＰＵの入出力制御部９１と、ＬＥＤを点灯するＬＥＤ表示部９４と、テンキーなどのキー入力を行うキー入力部９５と、ＵＳＢ接続用のＵＳＢＩ／Ｆ９３を備えており、入出力制御部９１内には操作入力ユニットの構成情報を格納したＲＯＭ９２を有し、コネクタ５８を介してＵＳＢＩ／Ｆ９３が通信用Ｉ／ＦＵ７０と接続されている。
本体制御部１０よりＵＳＢＨＯＳＴ１５に対して接続されているデバイスの情報を要求することにより、ＵＳＢＨＯＳＴ１５はＵＳＢケーブルを通じて操作表示部ユニット２のＵＳＢＨＵＢ７１へデバイスの情報要求を送る。
ＵＳＢＨＵＢ７１は複数の接続コネクタを持ち、表示ユニット８０のＵＳＢＩ／Ｆ８４と、操作入力ユニット９０のＵＳＢＩ／Ｆ９３とそれぞれ接続することにより、本体制御部１０からの要求に対して、表示ユニット８０のＲＯＭ８２に格納された表示ユニットの構成情報と、操作入力ユニット９０のＲＯＭ９２に格納された操作入力ユニットの構成情報をそれぞれ読み出し、ＵＳＢＨＯＳＴ１５へそれらの構成情報のデータを送り返す。
【００２８】
そして、ＵＳＢＨＯＳＴ１５が入手した表示ユニット８０と操作入力ユニット９０の各構成情報を本体制御部１０が入手することにより、本体制御部１０は、操作表示部ユニット２を構成しているデバイスを認識する。
上記表示ユニット８０の構成情報としては、表示パネル部８５のサイズ、タッチパネル部８６の有無を含む表示パネルに付随する情報があり、上記操作入力ユニット９０の構成情報としては、キー入力部９５のキースイッチの個数、その各キースイッチの機能、ＬＥＤ表示部９４のＬＥＤの個数を含む入出力機能の情報がある。
表示ユニット８０がＵＳＢＨＵＢ７１に接続されていた場合には、本体制御部１０は、上述のようにしてＵＳＢＨＯＳＴ１５を通じて得られた表示ユニット８０の構成情報から、操作画面生成機能を用いて、表示パネル部８５の表示画面のサイズに合わせた操作表示画面データを作成し、その操作表示画面データをＲＡＭ１２に格納する。
【００２９】
そして、本体制御部１０は、ＲＡＭ１２に格納された操作表示画面データはＵＳＢＨＯＳＴ１５からＵＳＢケーブルを経由してＵＳＢＨＵＢ７１へ伝送する。
操作表示部ユニット２は、ＵＳＢＨＵＢ７１によって操作表示画面データを受信すると、表示ユニット８０内のＲＡＭ８３に格納し、表示制御部８１がＲＡＭ８３内の操作表示画面データに基づいて表示パネル部８５に操作表示画面を表示する処理を行う。
また、表示ユニット８０に搭載されているタッチパネル部８６からの入力情報を表示制御部８１によってＵＳＢＩ／Ｆ８４内のバッファ（図示を省略）に入力情報データとして格納する。
本体制御部１０は、ＵＳＢＨＯＳＴ１５を通じて、定期的に表示ユニット８０のＵＳＢＩ／Ｆ８４のバッファに格納された入力情報データを取得し、その入力情報データにタッチパネル部８６の入力情報があれば、その入力情報に合わせて操作画面生成機能によって操作表示画面データを作成し、その操作表示画面データをＲＡＭ１２へ新たに格納する。
ＲＡＭ１２に操作表示画面データ格納後の処理は上述と同様である。 
【００３０】
操作入力ユニット９０がＵＳＢＨＵＢ７１に接続されていた場合には、本体制御部１０は、ＵＳＢＨＯＳＴ１５を通じて操作入力ユニット９０のＵＳＢＩ／Ｆ９３のバッファに格納された入力情報データを定期的に取得し、その入力情報データにキーの入力情報があれば、そのキーの入力情報に合わせて操作画面生成機能によって操作表示画面データを作成し、その操作表示画面データをＲＡＭ１２へ新たに格納する。
ＲＡＭ１２に操作表示画面データ格納後の処理は上述と同様である。 
また、キー入力に合わせてＬＥＤ表示部９４の点灯と消灯の処理を行う場合には、入出力制御部９１によってキーの入力に合わせたＬＥＤの点灯と消灯の制御を行う。
【００３１】
図６は、表示ユニットの表示パネル部に操作表示画面を表示する処理を示すフローチャート図である。
表示ユニット８０がＵＳＢＨＵＢ７１に接続される（Ｓ１）。通信用Ｉ／ＦＵ７０はＵＳＢデバイスの接続処理により、本体制御部１０へ表示ユニット８０の接続を通知する。本体制御部１０は、通信用Ｉ／ＦＵ７０からの通知によって表示ユニット８０が接続されたことを認識する（Ｓ２）。
本体制御部１０は、表示ユニット８０の認識後、操作表示部ユニット２に対して表示ユニット８０の構成情報を要求する（Ｓ３）。通信用Ｉ／ＦＵ７０は、その要求を表示ユニット８０の表示制御部８１へ送る。表示制御部８１は、内部のＲＯＭ８２から自表示ユニットの構成情報を読み出し、ＵＳＢＩ／Ｆ８４内のバッファに格納する（Ｓ４）。
【００３２】
本体制御部１０は、操作表示部ユニット２に構成情報のロードを要求し、操作表示部ユニット２の通信用Ｉ／ＦＵ７０は、表示ユニット８０のＵＳＢＩ／Ｆ８４内のバッファに格納された表示ユニット８０の構成情報を読み出し、画像処理装置本体１へ送信する。本体制御部１０は、操作表示部ユニット２から送信される構成情報をロードし、ＲＡＭ１２に格納する（Ｓ５）。
本体制御部１０は、ＲＡＭ１２に格納した表示ユニット８０の構成情報に基づいて、表示パネル部８５の操作表示画面のサイズ等を判断し、操作表示画面生成機能を用いて操作表示画面データを作成する（Ｓ６）。本体制御部１０は、その作成された操作表示画面データをＲＡＭ１２に格納し、ＵＳＢケーブルを経由して、操作表示部ユニット２へ逐次転送する。
【００３３】
操作表示部ユニット２の通信用Ｉ／ＦＵ７０は、本体制御部１０から操作表示画面データを受信すると、表示ユニット８０のＵＳＢＩ／Ｆ８４内のバッファを経由して、ＲＡＭ８３に格納する（Ｓ７）。
表示制御部８１は、ＲＡＭ８３に操作表示画面データが格納されたのを認識すると、ＲＡＭ８３から操作表示画面データを読み出し、その操作表示画面データに基づいて表示パネル部８５に操作表示画面を表示する（Ｓ８）。
【００３４】
図７は、表示ユニットのタッチパネル部に入力があった場合に表示パネル部の操作表示画面を更新して表示する処理を示すフローチャート図である。
表示ユニット８０の表示制御部８１は、タッチパネル部８６での押下を検知すると（Ｓ１１）、タッチパネル部８６で押下された位置のアナログデータを本体制御部１０で判別可能な座標データに変換し、ＵＳＢＩ／Ｆ８４内のバッファに格納する（Ｓ１２）。
本体制御部１０は、表示ユニット８０の認識後、操作表示部ユニット２の表示ユニット８０でのタッチパネル入力の有無を認識するため、操作表示部ユニット２に対して定期的にポーリングし、ＵＳＢＩ／Ｆ８４内のバッファの座標データを定期的にロードする（Ｓ１３）。操作表示部ユニット２は、本体制御部１０からのポーリングに対して、通信用Ｉ／ＦＵ７０が表示ユニット８０のＵＳＢＩ／Ｆ８４内のバッファの座標データを読み出し、本体制御部１０へ送る。
【００３５】
本体制御部１０は、最新にロードした座標データを直前にロードした座標データと比較し、座標データに対する表示画像の変更を判断し、データに変化がない場合は座標データのロード処理に戻り、データに変化がある場合、タッチパネル部への入力があったと判断し（Ｓ１４）、その変化した座標データに基づいて操作表示画面データを作成する（Ｓ１５）。本体制御部１０は、その作成された操作表示画面データをＲＡＭ１２に格納し、ＵＳＢケーブルを経由して、操作表示部ユニット２へ逐次転送する。
操作表示部ユニット２の通信用Ｉ／ＦＵ７０は、本体制御部１０から操作表示画面データを受信すると、表示ユニット８０のＵＳＢＩ／Ｆ８４内のバッファを経由して、ＲＡＭ８３に格納する（Ｓ１６）。
表示制御部８１は、ＲＡＭ８３に操作表示画面データが格納されたのを認識すると、ＲＡＭ８３から操作表示画面データを読み出し、その操作表示画面データに基づいて表示パネル部８５に操作表示画面を表示する（Ｓ１７）。
【００３６】
図８は、操作入力ユニットのキー入力部に入力があった場合に表示ユニットの表示パネル部の操作表示画面を更新して表示する処理を示すフローチャート図である。
操作入力ユニット９０の入出力制御部９１は、キー入力のスキャンを行い、キー入力部９５での押下を検知すると（Ｓ２１）、キー入力されたキーを本体制御部１０で判別可能なデータに変換し、ＵＳＢＩ／Ｆ９３内のバッファに格納する（Ｓ２２）。
また、入出力制御部９１はキーの入力に合わせてＬＥＤ表示部９４の制御がある場合、ＬＥＤスキャンを行い、ＬＥＤの点灯と消灯の制御を行う（Ｓ２３）。
本体制御部１０は、操作入力ユニット９０の認識後、操作表示部ユニット２の操作入力ユニット９０でのキー入力の有無を認識するため、操作表示部ユニット２に対して定期的にポーリングし、ＵＳＢＩ／Ｆ９３内のバッファの入力キーのデータを定期的にロードする（Ｓ２４）。操作表示部ユニット２は、本体制御部１０からのポーリングに対して、通信用Ｉ／ＦＵ７０が操作入力ユニット９０のＵＳＢＩ／Ｆ９３内のバッファの入力キーのデータを読み出し、本体制御部１０へ送る。
【００３７】
本体制御部１０は、最新にロードした入力キーのデータを直前にロードした入力キーのデータと比較し、座標データに対する表示画像の変更を判断し、データに変化がない場合は座標データのロード処理に戻り、データに変化がある場合、タッチパネル部への入力があったと判断し（Ｓ２５）、その変化したキー入力のデータに基づいて操作表示画面データを作成する（Ｓ２６）。本体制御部１０は、その作成された操作表示画面データをＲＡＭ１２に格納し、ＵＳＢケーブルを経由して、操作表示部ユニット２へ逐次転送する。
操作表示部ユニット２の通信用Ｉ／ＦＵ７０は、本体制御部１０から操作表示画面データを受信すると、表示ユニット８０のＵＳＢＩ／Ｆ８４内のバッファを経由して、ＲＡＭ８３に格納する（Ｓ２７）。
表示制御部８１は、ＲＡＭ８３に操作表示画面データが格納されたのを認識すると、ＲＡＭ８３から操作表示画面データを読み出し、その操作表示画面データに基づいて表示パネル部８５に操作表示画面を表示する（Ｓ２８）。
【００３８】
上述の実施例では、画像処理装置本体１と操作表示部ユニット２とを有線によって接続した場合について説明したが、画像処理装置本体１と操作表示部ユニット２との間のデータ通信を無線通信によって行うように構成しても良い。
また、上記実施例の画像処理装置の構成に代えて、制御ユニットに操作表示画面作成のみを行う表示画面制御部を設け、本体制御部が取得した表示ユニットの構成情報から表示画面制御部に操作表示画面の作成指示を行うことにより、表示画面制御部によって操作表示画面データを作成して操作表示部ユニットへ送信するようにしてもよい。
さらに、上記表示画面制御部が操作表示画面専用メモリを備え、本体制御部が取得した表示ユニットの構成情報から表示画面制御部に操作表示画面の作成指示を行うことにより、表示画面制御部によって操作表示画面データを作成して操作表示画面専用メモリに格納し、操作表示画面専用メモリを介して操作表示画面データを操作表示部ユニットへ送信するようにしてもよい。
【００３９】
この実施例の画像処理装置によれば、操作者の要求に合わせて表示ユニットと入力ユニットを個別に変更することができ、操作者の利便性を安価なシステム構成として向上させることができる。
すなわち、表示ユニットと操作入力ユニットを操作者の要求に合わせて、容易に変更することが可能であり、かつ変更する構成を表示ユニットと入力ユニットに分けることができるため、安価に実現できるようにすることで、操作者の要求に合わせて表示ユニットと入力ユニットを個別に変更することができ、操作者の利便性を安価なシステム構成として向上させることが可能となる。
【産業上の利用可能性】
【００４０】
この発明による画像処理装置は、ファクシミリ装置，プリンタ，複写機，複合機を含む画像処理装置全般において適用することができる。
【図面の簡単な説明】
【００４１】
【図１】図２に示す画像処理装置の実施例１における本体の内部構成の概要と操作部の主要な内部構成とを示すブロック図である。
【図２】この発明の各実施例の画像処理装置の外観図である。
【図３】コネクタの端子の説明図である。
【図４】図２に示す画像処理装置の実施例２における本体の内部構成の概要と操作部の主要な内部構成とを示すブロック図である。
【００４２】
【図５】図２に示す画像処理装置の実施例３における本体の内部構成の概要と操作部の主要な内部構成とを示すブロック図である。
【図６】表示ユニットの表示パネル部に操作表示画面を表示する処理を示すフローチャート図である。
【図７】表示ユニットのタッチパネル部に入力があった場合に表示パネル部の操作表示画面を更新して表示する処理を示すフローチャート図である。
【図８】操作入力ユニットのキー入力部に入力があった場合に表示ユニットの表示パネル部の操作表示画面を更新して表示する処理を示すフローチャート図である。
【符号の説明】
【００４３】
１：画像処理装置本体    ２：操作表示部ユニット    ３：スキャナ部    ４：プリント部    ５：通信部    ６：自動給送装置（ＡＤＦ）    １０：本体制御部（コントローラユニット）    １１，８２，９２：ＲＯＭ    １２，８３：ＲＡＭ    １３，８１：表示制御部    １４：差動ドライバ    １５：ＵＳＢホスト（ＵＳＢＨＯＳＴ）    ２０，７０：通信用Ｉ／ＦＵ    ２１：差動レシーバ    ２２，７１：ＵＳＢＨＵＢ    ３０，８０：表示ユニット    ３１：表示部    ４０，９０：操作入力ユニット    ４１，９１：入出力制御部    ４２，９４：ＬＥＤ表示部    ４３，９５：キー入力部    ４４，８６：タッチパネル部    ４５，６１，８４，９３：ＵＳＢＩ／Ｆ    ５０〜５８：コネクタ    ６０：音声出力ユニット    ６２：音声デコーダ    ６３：アンプ    ６４：スピーカ    ８５：表示パネル部
【図１】
2010074374.tif 000003
【図２】
2010074374.tif 000004
【図３】
2010074374.tif 000005
【図４】
2010074374.tif 000006
【図５】
2010074374.tif 000007
【図６】
2010074374.tif 000008
【図７】
2010074374.tif 000009
【図８】
2010074374.tif 000010